(57)【要約】【課題】蒸気等による土壌消毒等を容易に実現することが可能な消毒用器具、消毒用ホース及び土壌加熱消毒方法を提供する。【解決手段】土壌消毒用器具１００は、蒸気等を導通する消毒用ホース２００とこの消毒用ホース２００に対して着脱自在な複数の消毒用ノズル３００等により構成されている。消毒用ホース２００は、曲折自在な材質によって形成され、本体部２１０と、上記各消毒用ノズル３００を取り付けるためのノズル取付部２２０とを備えている。作業者は、この消毒用ホース２００に消毒用ノズル３００を取り付けた後、畝の側面の下部に下斜め約４５°の角度で順次差し込んでいく（図５参照）。この後、作業者によって蒸気消毒機が作動されると、蒸気消毒機から発生された蒸気は、消毒用ホース２００を介して各消毒用ノズル３００の先端部３１０に設けられた一対の孔３１１から噴出される。【選択図】      図１
2004275131.tif 000002
【特許請求の範囲】
【請求項１】
蒸気又は熱湯を導通する曲折自在な消毒用ホースと、前記消毒用ホースの長手方向に設けられた複数の消毒用ノズルとを備え、
前記各消毒用ノズルには、前記消毒用ホースによって導通される蒸気又は熱湯を外部に噴出するための孔が前記消毒用ホースの長手方向と略同じ方向に形成されていることを特徴とする消毒用器具。
【請求項２】
前記各消毒用ノズルには、前記消毒用ホースによって導通される蒸気又は熱湯を外部に噴出するための対をなす孔が前記消毒用ホースの長手方向と略同じ方向に複数形成されていることを特徴とする請求項１に記載の消毒用器具。
【請求項３】
前記各消毒用ノズルは、前記消毒用ホースの長手方向であって同一直線上に略一定の間隔で設けられていることを特徴とする請求項１又は２に記載の消毒用器具。
【請求項４】
前記孔における当該消毒用ノズルの延在方向の幅は、前記孔における当該消毒用ノズルの上下方向の幅よりも広く形成されていることを特徴とする請求項１〜３に記載の消毒用器具。
【請求項５】
前記各消毒用ノズルは、伸縮可能なロッド状ノズルによって形成されていることを特徴とする請求項１〜４に記載の消毒用器具。
【請求項６】
前記消毒用ホースには、前記各消毒用ノズルを取り付けるための複数のノズル取付部が設けられ、前記各消毒用ノズルは、前記各ノズル取付部に対して着脱可能であることを特徴とする請求項１〜５に記載の消毒用器具。
【請求項７】
前記各ノズル取付部には、ノズル取付口を覆う着脱可能なキャップ部材若しくは当該ノズル取付口と前記外部との間を仕切る挿脱可能な仕切部材が設けられていることを特徴とする請求項６に記載の消毒用器具。
【請求項８】
請求項１〜５に記載の消毒用器具を使用して畝の土壌を加熱消毒する方法であって、
前記消毒用ホースを畝の側部若しくは畝と畝の間の通路に延設し、前記消毒用ホースの各消毒用ノズルを前記畝の側部に差し込み、当該消毒用ホースに蒸気又は熱湯を導通させて前記各消毒用ノズルに形成された孔から熱湯又は蒸気を噴出させることを特徴とする土壌加熱消毒方法。
【請求項９】
請求項６に記載の消毒用器具を使用して畝の土壌を加熱消毒する方法であって、
前記消毒用ホースを畝の側部若しくは畝と畝の間の通路に延設し、前記消毒用ホースの前記各ノズル取付部に前記各消毒用ノズルを取り付けた後、当該各消毒用ノズルを前記畝の側部に差し込み、当該消毒用ホースに蒸気又は熱湯を導通させて前記各消毒用ノズルに形成された孔から熱湯又は蒸気を噴出させることを特徴とする土壌加熱消毒方法。
【請求項１０】
蒸気又は熱湯を導通する曲折自在な消毒用ホースであって、  当該消毒用ホースの長手方向には、前記蒸気又は熱湯を外部に噴出する消毒用ノズルを着脱可能に取り付けるためのノズル取付部が、略一定の間隔で複数設けられていることを特徴とする消毒用ホース。
【請求項１１】
前記各ノズル取付部には、ノズル取付口を覆う着脱可能なキャップ部材若しくは当該ノズル取付口と前記外部との間を仕切る挿脱可能な仕切部材が設けられていることを特徴とする請求項１０に記載の消毒用ホース。
【発明の詳細な説明】
【０００１】
【発明の属する技術分野】
本発明は、土壌などに発生した病害虫の駆除、雑草種子の消滅等のために使用する消毒用器具、消毒用ホース及び土壌加熱消毒方法に関する。
【０００２】
【従来の技術】
近年、土壌病害に対する薬剤を用いないクリーンな防除法として、蒸気が保有する潜熱を土壌中に放出させて土壌温度を上昇させ、病害虫の駆除を行う土壌消毒法が注目されている（例えば、特許文献１参照）。
【０００３】
図１５は、現在知られている各種の土壌消毒法を例示した図である。
図１５のＡに示すホジソンパイプ法は、一定間隔毎に蒸気噴出口のあるパイプを土壌（畝）の中に埋め込み、その畝全体を保温シートで被覆しつつ、畝と畝の間の通路に水枕（重し）を配置し、蒸気消毒機（図示略）からパイプに蒸気を送りむことにより、パイプの埋め込まれた畝の中を消毒する方法である。
【０００４】
図１５のＢに示すスパイクパイプ法は、パイプに一体成形された長さ２０ｃｍ程度の複数のスパイクを畝の中に挿入し、その先端より蒸気を噴出させることにより、畝の中を消毒する方法である。このスパイクパイプ法は、小規模な土壌を短時間で消毒する場合に用いられ、次々にスパイクを移動することで土壌を消毒する。
【０００５】
図１５のＣに示すキャンバス法は、畝の上部にキャンバスホース（極厚綿布製）を布設し、キャンバスホースの片側から蒸気を挿入することにより、該ホースの布目から蒸気を噴出させて畝の中を消毒する方法である。
【０００６】
図１５のＤに示す消毒槽法は、その底部に蒸気室、上部に土壌室の２室をもった消毒槽にて育苗用土や鉢植用土等を消毒する方法である。具体的には土壌室に育苗用土や鉢植用土などの土壌を入れ、蒸気室に設けられた複数の孔から蒸気を噴出させることにより、土壌を消毒する。なお、上記スパイクパイプ法、キャンバス法、消毒槽法にて土壌全体を保温シートで被覆等する必要があるのは、上記ホジソンパイプ法と同様である。
【０００７】
【特許文献１】
特開２０００−２３２８４４号公報（第３頁）
【０００８】
【発明が解決しようとする課題】
これら各土壌消毒方法によれば、確かに土壌病原菌等を死滅させるなどの効果が認められる。しかしながら、各土壌消毒方法にはそれぞれ次のような問題がある。
まず、ホジソンパイプ法においては、ホジソンパイプを土壌（畝）の中に埋め込む必要があるため、かかる土壌を利用して野菜や果物等を栽培する農作業者等に煩雑かつ大掛かりな作業を強いることになる。また、スパイクパイプ法においては、上記スパイクパイプが鉄などによって成形されているため、かかるスパイクパイプ（広さ；約０．９ｍ２〜１．７５ｍ２程度）をつぎつぎに移動して消毒するといった作業は非常に重労働であり、また土壌消毒作業に時間がかかる等の問題がある。
【０００９】
また、キャンバスホース法においては、キャンバスホースを畝の上部に載置し、畝の上部から下部に向けて蒸気を浸透させているため、畝全体に均等に蒸気を浸透させることは難しく、土壌温度を上げるのに時間がかかる等の問題がある。また、消毒槽法においては、消毒すべき土壌をいったん消毒槽の土壌室に入れる必要があるため、大量の土壌を消毒するには多大な時間とコストがかかるという問題がある。
【００１０】
本発明は、以上説明した事情を鑑みてなされたものであり、蒸気等による土壌消毒等を容易に実現することが可能な消毒用器具、消毒用ホース及び土壌加熱消毒方法を提供することを目的とする。
【００１１】
【課題を解決するための手段】
上述した問題を解決するため、本発明に係る消毒用器具は、蒸気又は熱湯を導通する曲折自在な消毒用ホースと、前記消毒用ホースの長手方向に設けられた複数の消毒用ノズルとを備え、前記各消毒用ノズルには、前記消毒用ホースによって導通される蒸気又は熱湯を外部に噴出するための孔が前記消毒用ホースの長手方向と略同じ方向に形成されていることを特徴とする。
【００１２】
かかる構成によれば、消毒用ホースが曲折自在な材質（例えば、ポリエチレン）によって形成されているため、可搬性に富み、消毒用器具の使用等も簡便に行うことができる。また、消毒用ノズルには、前記消毒用ホースによって導通される蒸気又は熱湯を外部に噴出するための孔が前記消毒用ホースの長手方向と略同じ方向に形成されている。このため、例えば図５に示すように、各消毒用ノズルを畝の側面の下部に下斜め約４５°の角度で差し込むといった態様で土壌を加熱消毒すれば、畝全体に均等に蒸気を浸透させることができる。この結果、短い時間で土壌温度を目標温度（例えば、地下３０ｃｍ約７０℃）まで上げることが可能となる。また、土壌消毒用器具１００を利用する際には、既存の蒸気消毒機等をそのまま利用することができるため、ランニングコストを低廉に抑えることが可能となる。
【００１３】
ここで、前記各消毒用ノズルには、前記消毒用ホースによって導通される蒸気又は熱湯を外部に噴出するための対をなす孔が前記消毒用ホースの長手方向と略同じ方向に複数形成されていることが望ましい（図７参照）。
【００１４】
また、  前記各消毒用ノズルは、前記消毒用ホースの長手方向であって同一直線上に略一定の間隔で設けられていることが望ましい（図１参照）。
また、前記孔における当該消毒用ノズルの延在方向の幅は、前記孔における当該消毒用ノズルの上下方向の幅よりも広く形成されていても良い（図８参照）。
【００１５】
また、前記各消毒用ノズルは、伸縮可能なロッド状ノズルによって形成されていても良い（図１２参照）。
また、前記消毒用ホースには、前記各消毒用ノズルを取り付けるための複数のノズル取付部が設けられ、前記各消毒用ノズルは、前記各ノズル取付部に対して着脱可能であることが望ましい（図２参照）。
【００１６】
また、前記各ノズル取付部には、ノズル取付口を覆う着脱可能なキャップ部材若しくは当該ノズル取付口と前記外部との間を仕切る挿脱可能な仕切部材が設けられていることが望ましい（図９及び図１０参照）。
【００１７】
【発明の実施の形態】
以下、本発明に係る実施の形態について図面を参照しながら説明する。
【００１８】
Ａ．本実施形態
（１）実施形態の構成
図１は、本実施形態に係る土壌消毒用器具１００の構成を示す図である。
かかる土壌消毒用器具１００は、消毒用ホース２００とこの消毒用ホース２００に対して着脱自在な複数の消毒用ノズル３００とを備えている。
消毒用ホース２００は、蒸気消毒機（図示略）において発生される蒸気等を導通する本体部２１０と、上記各消毒用ノズル３００を取り付けるためのノズル取付部２２０とを備えている。
【００１９】
本体部２１０は、導通する蒸気等の温度（一般には７０℃〜１００℃）に耐え得る曲折自在な材質、例えばポリエチレン、ビニール、ゴム等によって形成されている。
ノズル取付部２２０は、例えば蒸気等の温度に耐え得る軽量なプラスチック等（アルミニウム、鉄等でも可）によって構成され、後述するように消毒用ノズル３００の取付が可能となっている。かかるノズル取付部２２０は、消毒用ホース２００の長手方向に略一定の間隔（例えば１ｍ間隔）で複数設けられている。
【００２０】
一方、消毒用ノズル３００は、例えば上記ノズル取付部２２０と同じ素材（例えば、プラスチック）等によって形成され、その長さは例えば２０ｃｍ〜１ｍ程度である。また、この消毒用ノズル３００の先端部３１０には、消毒用ホース２００から送り込まれる蒸気等を外部に噴出させるための一対の孔３１１が設けられている。この１対の孔３１１のそれぞれの向きは、消毒用ホース２００に各消毒用ノズル３００が取り付けられた状態において消毒用ホース２００の長手方向と同一の方向（向き）になるように設計されている（詳細は後述）。
【００２１】
ここで、図２は、ノズル取付部２２０に対する各消毒用ノズル３００の取り付け動作を説明するための図であり、図３は図１に示す土壌消毒用器具１００のＡ−Ａ線視断面図である。
図２に示すように、ノズル取付部２２０は、略長方形状の基台部２２１と略円筒形状の勘合部２２２とから構成され、これら各ノズル取り付け部２２０は同一直線上に並ぶように設けられている。勘合部２２２における円筒面の一部には消毒用ノズル３００と消毒用ホース２００とを固着するための突起部２２３が設けられている。
【００２２】
一方、各消毒用ノズル３００の側面には、消毒用ホース２００の突起部２２３と勘合する略Ｌ字状の切り欠き部３２０が設けられている。消毒用ノズル３００をノズル取付部２２０に取り付ける際には、図２に示す切り欠き部３２０が突起部２２１に沿うように消毒用ノズル３００を消毒用ホース２００に挿入した後（図２に示す▲１▼参照）、消毒用ノズル３００を例えば反時計回りに回転させてことにより（図２に示す▲２▼参照）、消毒用ノズル３００と消毒用ホース２００とを固着する。
【００２３】
かかる取り付け作業が行われることにより、図３に示すように各消毒用ノズル３００に設けられた一対の孔３１１の向きと消毒用ホース２００の長手方向（紙面垂直方向）とが一致し、かつ、各消毒用ノズル３００の向き、高さが一致する。この状態において土壌消毒用の蒸気が消毒用ホース２００に送り込まれると、かかる蒸気は本体部２１０、各ノズル取り付け部２２０を介して各消毒用ノズル３００に設けられた一対の孔３１１から外部に噴出されることになる。なお、各消毒用ノズル３００の先端３１０ａは閉じており、かつ、ノズル取り付け部２２０は、消毒用ホース２００に消毒用ノズル３００が取り付けられた後においては蒸気が漏れないような構造を有しているため、消毒用ホース２００に送り込まれた蒸気は各消毒用ノズル３００に設けられた１対の孔３１１からのみ噴出される。
【００２４】
以上が本実施形態に係る土壌消毒用器具１００の詳細構成である。以下、かかる土壌消毒用器具１００を用いて畝の土壌を加熱消毒する際の作業手順等について説明する。
【００２５】
（２）実施形態の動作
土壌消毒用器具１００を用いて畝１０の加熱消毒を試みる作業者は、図４に示すように各畝１０の側面１１（若しくは各畝１０の間の通路１２）に沿って各消毒用ホース２００を延設する。そして、作業者は、畝１０の幅Ｗに応じた消毒用ノズル３００を消毒用ホース２００に取り付ける。一般に、畝１０の幅Ｗは通常５０ｃｍ〜１ｍ程度であり、本実施形態においては消毒用ホース２００に対して着脱自在に取り付け可能な数種類の消毒用ノズル（例えば、長さ３０ｃｍ、８０ｃｍ、１ｍの消毒用ノズル）が予め用意されている。従って、図４に示す畝１０の幅Ｗが例えば５０ｃｍである場合には、作業者は消毒用ノズル３００として例えば３０ｃｍの消毒用ノズルを選択し、選択した３０ｃｍの各消毒用ノズル３００を前述した如く消毒用ホース２００に順次取り付けていく（図２、図３参照）。
【００２６】
作業者は、この消毒用ホース２００に対する消毒用ノズル３００の取り付け作業と並行し、消毒用ホース２００に取り付けた消毒用ノズル３００を畝１０の側面１１の下部に下斜め約４５°の角度で順次差し込んでいく（図５参照）。なお、畝１０を形成する土壌は既に深耕等されているため、プラスチック等で形成された消毒用ノズル３００であっても、さほど負荷をかけることなく畝１０に差し込むことが可能である。以上説明した消毒用ノズル３００の差し込み作業は、各畝１０の片側の側面１１だけでなく、図５に示すように両側の側面１１に対して行われる。
【００２７】
ここで、図６は、ある畝１０の両側面１１に差し込まれた各消毒用ノズル３００の位置関係を説明するための図であり、図５に示す矢印方向（上部）から見た図である。
図６に示すように、一方の側面１１に差し込まれた各消毒用ノズル３００と他方の側面１１に差し込まれた各消毒用ノズル３００とは互い違い（千鳥状）に配置されている。ここで、同一の消毒用ホース２００に取り付けられた各消毒用ノズル３００の間隔α１が１ｍであるとすると、一方の側面１１に差し込まれた消毒用ノズル３００と他方の側面１１に差し込まれた各消毒用ノズル３００との間隔α２は、それぞれ５０ｃｍとなる。
【００２８】
作業者は、各消毒用ホース２００に対する消毒用ノズル３００の取り付け作業、及び全ての畝１０に対する各消毒用ノズル３００の差し込み作業を終了すると、各消毒用ホース２００を蒸気消毒機に接続し、蒸気消毒機を作動させる。かかる操作がなされると、蒸気消毒機から蒸気が発生され、発生された蒸気は消毒用ホース２００を介して各消毒用ノズル３００の先端部３１０に設けられた一対の孔３１１から噴出される。
【００２９】
前述したように、各消毒用ノズル３００に設けられた一対の孔３１１の向きは、消毒用ホース２００の長手方向と一致している（図３参照）。従って、かかる一対の孔３１１から噴出される蒸気は、図６に示すように消毒用ホース２００の長手方向と同じ方向に向かうことになる。ここで、各消毒用ノズル３００は、畝１０の下部に下斜め約４５°の角度で差し込まれているため（図５参照）、消毒用ノズル３００から噴出された蒸気は畝１０の下部から上部に向けて浸透することになる。周知の通り、高温蒸気などは、その性質上、上に向かって流れていく。従って、上記の通り畝１０の下部から蒸気を噴出させることで、畝全体に均等に蒸気を浸透させることが可能となる。
【００３０】
以上説明したように、本実施形態に係る土壌消毒用器具１００によれば、消毒用ホース２００が曲折自在な材質（例えば、ポリエチレン）によって形成されているため、可搬性に富み、土壌消毒用器具１００の使用等も簡便に行うことができる。また、消毒用ノズル３００は、消毒用ホース２００に対して着脱自在に取り付け可能な構成を有しているため、土壌消毒用器具１００の片づけ等も簡便に行うことができる。
【００３１】
また、いずれかの消毒用ノズル３００が壊れてしまった場合でも、代わりの消毒用ノズル３００を消毒用ホース２００に取り付けることで、何ら不具合を生ずることなく土壌消毒用器具１００を利用することができる。さらに、複数種類の消毒用ノズル（例えば、３０ｃｍ、８０ｃｍ、１ｍの消毒用ノズル）３００を予め用意しておくことで、畝の幅Ｗに応じて複数種類の消毒用ノズル３００の中から最適なものを選択することができ、これにより最適な土壌消毒を実現することも可能である。
【００３２】
また、実際に土壌消毒用器具１００を利用して畝等の土壌を加熱消毒する際には、各消毒用ノズル３００を畝の側面の下部に下斜め約４５°の角度で差し込むため、畝全体に均等に蒸気を浸透させることができる。この結果、短い時間で土壌温度を目標温度（例えば、地下３０ｃｍ約７０℃）まで上げることが可能となる。また、土壌消毒用器具１００を利用する際には、既存の蒸気消毒機等をそのまま利用することができるため、ランニングコストを低廉に抑えることが可能となる。
【００３３】
Ｂ．変形例
以上この発明の一実施形態について説明したが、上記実施形態はあくまで例示であり、本発明の趣旨から逸脱しない範囲で様々な変形を加えることができる。変形例としては、例えば以下のようなものが考えられる。
【００３４】
（変形例１）
上述した本実施形態では、消毒用ホース２００に着脱自在に取り付け可能な消毒用ノズル３００を例示したが、例えば消毒用ホース２００と消毒用ノズル３００とを一体構成にしても良い。かかる構成においても、土壌消毒用器具１００の使用を簡便に行える等のメリットを享受できる。
【００３５】
ただし、消毒用ホース２００と消毒用ノズル３００とを一体構成にした場合には、ある一つの消毒用ノズル３００が壊れてしまっても、その消毒用ノズル３００を取り換えることはできない。さらに、畝等の幅Ｗに応じて複数種類の消毒用ノズル（例えば、３０ｃｍ、８０ｃｍ、１ｍの消毒用ノズル）３００の中から最適なものを選択し、これを消毒用ホース２００に取り付けることもできない。以上の点を鑑みれば、消毒用ノズル３００と消毒用ホース２００とを別体構成にするのが望ましい。
【００３６】
（変形例２）
また、上述した本実施形態では、畝の側面１１の下部に下斜め約４５°の角度で消毒用ノズル３００を差し込んで土壌消毒を行う態様について説明したが、例えば畝の上面に消毒用ノズル３００を差し込んで土壌消毒を行う態様など、あらゆる態様に適用可能である。
【００３７】
（変形例３）
また、上述した本実施形態では、消毒用ホース２００と消毒用ノズル３００とを固着するために消毒用ホース２００に突起部２２３を設ける一方、消毒用ノズル３００に切り欠き部３２０を設けた場合について説明したが（図２参照）、例えば消毒用ホース２００に雌ねじ部を設ける一方、消毒用ノズル３００に雄ねじ部を設けるようにしても良い。消毒用ノズル３００を消毒用ホース２００に取り付ける際には、消毒用ノズル３００の雄ねじ部を消毒用ホース２００の雌ねじ部に螺合する。かかる方法はあくまで一例であり、どのような方法によって消毒用ホース２００と消毒用ノズル３００とを固着するかは土壌消毒用器具１００の設計等に応じて適宜変更可能である。また、本実施形態に係る消毒用ノズル３００とノズル取付部２２０とを一体成形し、ノズル取付部２２０の基台部２２１に上記雄ねじ部を設ける一方、消毒用ホース２００に上記雌ねじ部を設け、かかる消毒用ノズル（つまり、ノズル取付部が一体成形された消毒用ノズル）が消毒用ホース２００に対して着脱自在に取り付けられるようにしても良い。
【００３８】
（変形例４）
また、上述した本実施形態では、消毒用ノズル３００に蒸気噴出用の孔３１１を一対設けた場合について説明したが（図１等参照）、例えば図７のＡに示すように消毒用ノズル３００に蒸気噴出用の孔３１１を複数対設けるようにしても良い。ただし、これら全ての孔３１１の径を同一とした場合には、孔３１１の位置に応じて蒸気の噴出量が異なってしまう。かかる点を考慮して、例えば図７のＢに示すように、消毒用ノズル３００の下端から上端に向かうにつれ孔３１１の径が大きくなるように設計しても良い。具体的には図７のＢに示す最も下端側の孔３１１の径をａとした場合、その孔３１１よりも上端側に位置する孔３１１の径をｂ（＞ａ）とし、さらにこの孔３１１よりも上端側に位置する孔３１１の径をｃ（＞ｂ）とする。このように、蒸気噴出用の孔３１１を複数対設けると共に、各孔３１１の径をその位置に応じて適宜変えるようにしても良い。なお、以上の説明では、消毒用ノズル３００に蒸気噴出用の孔３１１を対で（すなわち両側に）設けた場合について説明したが、片側にのみ孔３１１を設けるようにしても良い。
【００３９】
（変形例５）
図８は、消毒用ノズル３００に設けられた蒸気噴出用の孔３１１の形状を示す図である。上述した本実施形態では、図８のＡに示すように略円形状の孔３１１を例示したが、例えば図８のＢに示すように孔３１１における消毒用ノズル３００の延在方向の幅が、孔３１１における消毒用ノズル３００の上下方向の幅よりも広く形成さている略楕円形状の孔３１１や、図８のＣに示すように消毒用ノズル３００の延在方向に長辺を有する略長方形状の孔３１１などにも適用可能である。
【００４０】
（変形例６）
図９及び図１０は、変形例６に係る消毒用ホース２００に係るノズル取付部を例示した図である。
図９に示すノズル取付部２２０’には、ノズル取付口２２２ａを覆う着脱自在なキャップ２２４が設けられており、図１０に示すノズル取付部２２０’には、ノズル取付口２２２ａと外部とを仕切る挿脱自在な仕切板２２５が設けられている。このようなノズル取付部２２０’を所定間隔（例えば５０ｃｍ等）で消毒用ホース２００に設けることにより、例えば図１１に示すような態様で消毒用ホース２００を利用することが可能となる。
【００４１】
一例を挙げて説明すると、作業者は、加熱消毒すべき畝の大きさ等に応じて消毒用ノズル３００の取付間隔を決定する。例えば１ｍの間隔で消毒用ノズル３００を取り付ける場合には、全てのノズル取付部２２０’に消毒用ノズル３００を取り付けるのではなく、図１１に示すように１つおきに消毒用ノズル３００を取り付けてゆく。各ノズル取付部２２０’に消毒用ノズル３００を取り付ける際には、ノズル取付部２２０’のキャップ２２４を外した後、若しくはノズル取付部２２０’の仕切板２２５を抜いた後、ノズル取付部２２０’と消毒用ノズル３００とを固着する。
【００４２】
一方、消毒用ノズル３００が取り付けられないノズル取付部２２０’についてはキャップ２２４を被せたままの状態、若しくは仕切板２２５を差し込んだままの状態にしておく。その後、作業者は蒸気消毒機を作動させる。かかる操作がなされると、蒸気消毒機から蒸気が発生され、発生された蒸気は消毒用ホース２００を介して各消毒用ノズル３００に設けられた各孔３１１から噴出される。以上説明したように、ノズル取付部にキャップ２２４、仕切板２２５等を設け、作業者が消毒用ノズル３００を取り付けるべきノズル取付部２２０’を適宜選択できるようにしても良い。
【００４３】
（変形例７）
図１２は、変形例７に係る消毒用ノズル３００’の構成を示す図である。
消毒用ノズル３００’は、伸縮可能なロッド状のノズルであり、かかる長さを例えば６０ｃｍ〜１２０ｃｍの範囲で調整することが可能となっている。
詳述すると、消毒用ノズル３００’は、先端部に蒸気噴出用の一対の孔３１１が設けられた第１部材３００ａ、第２部材３００ｂ、第３部材３００ｃ、第４部材３００ｄ等によって構成されている。この消毒用ノズル３００’の長さを例えば６０ｃｍに設定する場合には、図１２のＡに示すように第４部材３００ｄから第１部材３００ａのみを突出させる（第１パターン参照）。一方、消毒用ノズル３００’を９０ｃｍに設定する場合には、図１２のＢに示すように第４部材３００ｄから第１部材３００ａ及び第２部材３００ｂを突出させ（第２パターン参照）、消毒用ノズル３００’を１２０ｃｍに設定する場合には、図１２のＣに示すように第４部材３００ｄから第１部材３００ａ、第２部材３００ｂ及び第３部材３００ｃを突出させる（第３パターン参照）。
【００４４】
なお、各部材の間には図示せぬストッパ機構が設けられており、いったん消毒用ノズル３００’の長さが設定された後においては、ストッパ機構によるストッパ動作が解除されるまで、各部材の移動は禁止される。
かかる消毒用ノズル３００’によれば、ノズルの長さを適宜設定することができるため、当該消毒用ノズル３００’のみであらゆる土壌（畝）に対応することができる。いいかえると、畝の幅Ｗ等に応じて複数種類の消毒用ノズル（例えば、３０ｃｍ、８０ｃｍ、１ｍの消毒用ノズル）３００を予め用意する必要がないため、より低廉なコストで土壌消毒等を実現することが可能となる。なお、本変形例においては、３段階調整タイプ（すなわち複数段階調整タイプ）の消毒用ノズル３００’を例示したが、いわゆる無段階調整タイプの消毒用ノズル３００’を採用しても良いのはもちろんである。
【００４５】
（変形例８）
図１３は、変形例８に係る土壌消毒用器具１００’を説明するための図であり、図１４は、図１３に示す矢印方向（上部）から見た図である。
図１３に示すように、消毒用ホース２００は、畝１０と畝１０の間の通路１２に延設されており、消毒用ホース２００における各畝１０と対向する面には、それぞれ複数の消毒用ノズル３００が取り付けられている。消毒用ホース２００の各面に取り付けられた複数の消毒用ノズル３００は、図１４に示すようにそれぞれ対向するように配置されている。ただし、畝１０の各側面１１に差し込まれた各消毒用ノズル３００については、上述した本実施形態と同様、一方の側面１１に差し込まれた各消毒用ノズル３００と他方の側面１１に差し込まれた各消毒用ノズル３００とが互い違い（千鳥状）になるように配置されている。
【００４６】
また、各面に取り付けられた複数の消毒用ノズル３００は、それぞれ対向する畝１０の側面１１の下部に下斜め約４５°の角度で差し込まれている（図１３参照）。このように、１つの消毒用ホース２００に複数の消毒用ノズル３００を２列設けることで、１つの消毒用ホース２００に複数の消毒用ノズル３００を１列設けた場合（図５等参照）と比較して土壌消毒に必要な消毒用ホース２００の数を減らすことが可能となる。なお、消毒用ホース２００の各面に取り付けられた複数の消毒用ノズル３００に関し、上記の如く対向するように配置しても良いが、互い違い（千鳥状）になるように配置しても良いのはもちろんである。
【００４７】
（変形例９）
また、上述した本実施形態では、保温シート（従来技術の項参照）を利用することなく土壌消毒を行う場合について説明したが、保温シートを利用して土壌消毒を行っても良いのはもちろんである。前述したように、本実施形態においては、各消毒用ノズル３００を畝１０の下部に下斜め約４５°の角度で差し込んでいるため（図５参照）、保温シートを利用せずとも土壌温度を目標温度（地下３０ｃｍ約７０℃）に上げることができる。しかしながら、保温シートを利用すれば、さらに短い時間で土壌温度を目標温度に上げることが可能となる。
【００４８】
（変形例１０）
なお、上記本実施形態及び各変形例に係る消毒用ホース２００、消毒用ノズル３００等は、土壌を消毒するために利用するだけでなく、蒸気や熱湯による消毒が可能なあらゆるものに適用可能である。また、上記各変形例を種々組み合わせて適用することができるのはもちろんである。
【００４９】
【発明の効果】
以上説明したように、本発明によれば、蒸気等による土壌消毒等を容易に実現することが可能となる。
【図面の簡単な説明】
【図１】本実施形態における土壌消毒用器具の構成を示す図である。
【図２】同実施形態に係るノズル取付部に対する各消毒用ノズルの取り付け動作を説明するための図である。
【図３】同実施形態に係る図１に示す土壌消毒用器具のＡ−Ａ線視断面図である。
【図４】同実施形態に係る畝の土壌を加熱消毒する際の作業手順を説明するための図である。
【図５】同実施形態に係る畝の土壌を加熱消毒する際の作業手順を説明するための図である。
【図６】同実施形態に係る畝の両側面に差し込まれた各消毒用ノズルの位置関係を説明するための図である。
【図７】変形例４に係る消毒用ノズルを説明するための図である。
【図８】変形例５に係る消毒用ノズルに設けられた蒸気噴出用の孔の形状を示す図である。
【図９】変形例６に係る消毒用ホースに係るノズル取付部を例示した図である。
【図１０】変形例６に係る消毒用ホースに係るノズル取付部を例示した図である。
【図１１】変形例６に係る消毒用ホースに対する消毒用ノズルの取り付け状態を例示した図である。
【図１２】変形例７に係る消毒用ノズルの構成を示す図である。
【図１３】変形例８に係る土壌消毒用器具を説明するための図である。
【図１４】同変形例に係る畝の両側面に差し込まれた各消毒用ノズルの位置関係を説明するための図である。
【図１５】従来における各種土壌消毒法を説明するための図である。
【符号の説明】
１００、１００’・・・土壌消毒用器具、２００、２００’・・・消毒用ホース、２１０・・・本体部、２２０、２２０’・・・ノズル取付部、２２１・・・基台部、２２２・・・勘合部、２２２ａ・・・ノズル取付口、２２３・・・突起部、２２４・・・キャップ、２２５・・・仕切板、３００・・・消毒用ノズル、３００ａ・・・第１部材、３００ｂ・・・第２部材、３００ｃ・・・第３部材、３００ｄ・・・第４部材、３１０・・・先端部、３１０ａ・・・先端、３１１・・・孔、３２０・・・切り欠き部、１０・・・畝、１１・・・側面、１２・・・通路。
【図１】
2004275131.tif 000003
【図２】
2004275131.tif 000004
【図３】
2004275131.tif 000005
【図４】
2004275131.tif 000006
【図５】
2004275131.tif 000007
【図６】
2004275131.tif 000008
【図７】
2004275131.tif 000009
【図８】
2004275131.tif 000010
【図９】
2004275131.tif 000011
【図１０】
2004275131.tif 000012
【図１１】
2004275131.tif 000013
【図１２】
2004275131.tif 000014
【図１３】
2004275131.tif 000015
【図１４】
2004275131.tif 000016
【図１５】
2004275131.tif 000017